(57)【要約】【課題】着用可能品および他の物品用の電気的連結体を提供する。【解決手段】本発明は、衣類または物品内の１つの位置から衣類または物品上の別の位置まで、２つの位置を架橋する基板の長さに沿って印刷された電気導体を使用することによって電気信号または電力を伝達できるようにする、着用可能な衣類および他の物品内の電気的連結体に関する。【選択図】図１
2018089377.tif 000002
【特許請求の範囲】
【請求項１】
物品上の第１の位置から前記物品上の第２の位置までの電気的連結体であって、
架橋基板の長さに沿って印刷された電気導体であって、前記架橋基板は２つの端部を有し、前記端部の一方は前記第１の位置にあり、および他方は前記第２の位置にある、前記電気導体
を備えたことを特徴とする電気的連結体。
【請求項２】
前記物品は着用可能な衣類であり、および前記電気的連結体は、前記着用可能な衣類上の前記第１の位置から前記着用可能な衣類上の前記第２の位置までであることを特徴とする請求項１に記載の電気的連結体。
【請求項３】
前記第１の位置は前記着用可能な衣類の内側にあり、および前記第２の位置は前記着用可能な衣類の外側にあり、前記第２の位置における前記架橋基板の前記端部は、前記架橋基板が前記第２の位置に接近するときに前記衣類の前記外側と重なり合うように、前記第２の位置へのアクセスを提供する、前記衣類の開口部に通されているかまたは前記衣類のシームに通されていることを特徴とする請求項２に記載の電気的連結体。
【請求項４】
前記第２の位置は、前記着用可能な衣類上のポケット、フラップまたは折り畳みフラップ内にあることを特徴とする請求項２に記載の電気的連結体。
【請求項５】
前記第１の位置は、前記着用可能な衣類の内側の電気導体にあり、および前記第２の位置は、前記着用可能な衣類の前記外側の指定された位置であり、前記電気的連結体は、
ラミネートすることができる架橋基板の長さに沿って印刷された電気導体であって、前記着用可能な衣類の内側の前記電気導体は、ラミネートすることができる基板に印刷された電気導体であり、前記架橋基板の一方の端部は、前記架橋基板の前記端部における前記印刷導体が、前記着用可能な衣類の内側の前記印刷された電気導体と接触するように配置されており、および前記着用可能な衣類の内側の前記２つの基板は、前記２つの電気導体が電気的な接続を形成するように前記接触の領域においてラミネートされており、前記架橋基板の他方の端部は、前記指定された位置に配置されている、前記電気導体
を含むことを特徴とする請求項２に記載の電気的連結体。
【請求項６】
前記指定された位置における前記架橋基板の前記端部は、前記架橋基板が前記指定された位置に接近するときに前記衣類の前記外側と重なり合うように、前記指定された位置へのアクセスを提供する、前記衣類の開口部に通されているかまたは前記衣類のシームに通されていることを特徴とする請求項５に記載の電気的連結体。
【請求項７】
前記印刷された電気導体を備える前記架橋基板は、２つ以上の別個の基板要素からなり、それぞれがその長さに沿って印刷された電気導体を備え、隣接する基板要素の前記印刷導体は接触して配置されており、および隣接する基板要素は、接触の領域において一緒にラミネートされて、前記２つ以上の基板要素上における前記印刷された電気導体の前記電気的な接続を達成することを特徴とする請求項５に記載の電気的連結体。
【請求項８】
前記着用可能な衣類は着用可能な二層衣類であり、前記第１の位置は、前記着用可能な二層衣類の内層の内側にあり、および前記第２の位置は、前記着用可能な二層衣類の２つの層間の指定された位置であり、前記電気的連結体は、
架橋基板の長さに沿って印刷された電気導体であって、前記架橋基板は２つの端部を有し、前記端部の一方は、前記衣類の前記内層の内側の前記第１の位置にあり、および他方の端部は、前記指定された位置にあり、および前記架橋基板の前記他方の端部は、前記架橋基板が前記２つの層間に存在しおよび前記架橋基板の前記端部上に印刷された前記電気導体を備えた前記架橋基板の前記端部が前記指定された位置に配置されるように、前記着用可能な二層衣類の前記２つの層間の前記指定された位置へのアクセスを提供する前記着用可能な二層衣類の前記内層の開口部またはシームに通されている、前記電気導体
を含むことを特徴とする請求項２に記載の電気的連結体。
【請求項９】
前記着用可能な衣類は着用可能な二層衣類であり、前記第１の位置は、前記着用可能な二層衣類の２つの層間にあり、および前記第２の位置は、前記着用可能な二層衣類の外側にある指定された位置であり、前記電気的連結体は、
架橋基板の長さに沿って印刷された電気導体であって、前記架橋基板は２つの端部を有し、前記端部の一方は、前記着用可能な二層衣類の前記２つの層間の前記第１の位置にあり、および他方の端部は、前記着用可能な二層衣類の外側の前記指定された位置にあり、および前記架橋基板の前記他方の端部は、前記架橋基板が前記着用可能な二層衣類の前記外側と重なり合いおよび前記架橋基板の前記端部上に印刷された前記電気導体を備えた前記架橋基板の前記端部が前記指定された位置に配置されるように、前記着用可能な二層衣類の外側の前記指定された位置へのアクセスを提供する前記二層衣類の外層の開口部またはシームに通されている、前記電気導体
を含むことを特徴とする請求項２に記載の電気的連結体。
【請求項１０】
前記着用可能な衣類は着用可能な多層衣類であり、前記第１の位置および前記第２の位置は、前記着用可能な多層衣類の１つ以上の層によって分離されており、前記電気的連結体は、
架橋基板の長さに沿って印刷された電気導体であって、前記架橋基板は２つの端部を有し、前記端部の一方は前記第１の位置にあり、および他方の端部は前記第２の位置にあり、および前記架橋基板の前記他方の端部は、前記第２の位置へのアクセスを提供する前記２つの位置を分離する前記１つ以上の層の開口部に通されており、および前記架橋基板の前記端部上に印刷された前記電気導体を備えた前記架橋基板の前記端部は前記第２の位置に配置されている、前記電気導体
を含むことを特徴とする請求項２に記載の電気的連結体。
【発明の詳細な説明】
【技術分野】
【０００１】
本発明は、衣類の一部分から別の部分へ電気信号を伝達できるようにする、着用可能な衣類および他の物品内の電気的連結体に関する。
【背景技術】
【０００２】
着用可能な衣類に電気回路を組み込んで、着用者の生理的側面を監視することへの関心が高まっている。そのような測定の例は、心拍数、心電図記録、皮膚または核心温度、および体液のパラメータを含む。これらの電気回路はまた、快適性を高めるために、加熱器などの機器に給電するためのエネルギーを追加するか、または含まれている機器に情報を追加するのに有用である。これらの電気回路はまた、物品、例えば、寝袋およびブランケットに有用であり、伸縮可能な回路を必要とする。着用可能な衣類および他の物品での回路の追加的な使用例も考えられる。着用可能な衣類または物品の一部分から別の部分へ電気信号を伝達する方法も必要であり、したがって、衣類または物品の異なる部分間を電気的に接続することが必要である。これらの接続は、衣類または物品が伸縮したり、複数回の洗濯および乾燥サイクルに曝されたりするときに維持されなければならない。
【発明の概要】
【課題を解決するための手段】
【０００３】
本発明は、衣類または物品の異なる位置から電気信号または電力を伝達できるようにする、着用可能な衣類および他の物品内の電気的連結体を提供する。
【０００４】
本発明は、着用可能な衣類上の第１の位置から着用可能な衣類上の第２の位置までの電気的連結体を提供し、電気的連結体は、
架橋基板の長さに沿って印刷された電気導体であって、架橋基板は２つの端部を有し、それら端部の一方は第１の位置にあり、および他方は第２の位置にある、電気導体
を含む。
【０００５】
そのような１つの実施形態では、第１の位置は着用可能な衣類の内側にあり、および第２の位置は着用可能な衣類の外側にあり、第２の位置における架橋基板の端部は、架橋基板が第２の位置に接近するときに衣類の外側と重なり合うように、第２の位置へのアクセスを提供する衣類の開口部に通されている。
【０００６】
別のそのような実施形態では、第１の位置は着用可能な衣類の内側にあり、および第２の位置は着用可能な衣類の外側にあり、第２の位置における架橋基板の端部は、架橋基板が第２の位置に接近するときに衣類の外側と重なり合うように、第２の位置へのアクセスを提供する衣類のシームに通されている。
【０００７】
さらに別のそのような実施形態では、第１の位置は着用可能な衣類の内側にあり、および第２の位置は着用可能な衣類の外側にあり、第２の位置における架橋基板の端部は、架橋基板が第２の位置に接近するときに衣類の外側と重なり合うように、衣類の縁、すなわち、袖もしくは襟の端部または衣類の最上部もしくは最下部の周囲で折り畳まれている。
【０００８】
上述の実施形態において、第２の位置は、衣類のポケット内または衣類の外側のフラップもしくは折り畳みフラップ内にある。
【０００９】
本発明は、着用可能な衣類の内側の電気導体から衣類の外側の指定された位置までの電気的連結体をさらに提供し、電気的連結体は、
ラミネートすることができる架橋基板の長さに沿って印刷された電気導体であって、着用可能な衣類の内側の電気導体は、ラミネートすることができる基板に印刷された電気導体であり、架橋基板の一方の端部は、架橋基板のその端部における印刷導体が、衣類の内側の印刷された電気導体と接触するように配置されており、および衣類の内側の２つの基板は、２つの電気導体が電気的な接続を形成するように接触の領域においてラミネートされており、架橋基板の他方の端部は、指定された位置に配置されている、電気導体
を含む。
【００１０】
そのような１つの実施形態では、指定された位置における架橋基板の端部は、架橋基板が指定された位置に接近するときに衣類の外側と重なり合うように、指定された位置へのアクセスを提供する衣類の開口部に通されている。
【００１１】
別のそのような実施形態では、指定された位置における架橋基板の端部は、架橋基板が指定された位置に接近するときに衣類の外側と重なり合うように、指定された位置へのアクセスを提供する衣類のシームに通されている。
【００１２】
さらに別のそのような実施形態では、指定された位置における架橋基板の端部は、架橋基板が指定された位置に接近するときに衣類の外側と重なり合うように、衣類の縁、すなわち、袖もしくは襟の端部または衣類の最上部もしくは最下部の周囲で折り畳まれている。
【００１３】
上述の実施形態では、指定された位置は、衣類のポケット内または衣類の外側のフラップもしくは折り畳みフラップ内にあってよい。
【００１４】
上述の実施形態のいずれかでは、着用可能な衣類は単層または多層の衣類であってよい。
【００１５】
本発明はまた、二層または多層の衣類の複数の層間の電気的連結体を提供する。二層衣類は、ライナーおよび外殻からなってよい。三層衣類は、ライナー、断熱層および外殻からなってよい。
【００１６】
そのような１つの実施形態では、電気的連結体は、着用可能な二層衣類の内層の内側の位置から二層衣類の２つの層間の指定された位置までであり、電気的連結体は、
架橋基板の長さに沿って印刷された電気導体であって、架橋基板は２つの端部を有し、それら端部の一方は、衣類の内層の内側の位置にあり、および他方の端部は、指定された位置にあり、架橋基板の他方の端部は、架橋基板が２つの層間に存在し、および架橋基板の端部上に電気導体を備える架橋基板の端部が指定された位置に配置されるように、二層衣類の２つの層間の指定された位置へのアクセスを提供する二層衣類の内層の開口部またはシームに通されている、電気導体
を含む。
【００１７】
別のそのような実施形態では、電気的連結体は、着用可能な二層衣類の２つの層間の位置から二層衣類の外側の指定された位置までであり、電気的連結体は、
架橋基板の長さに沿って印刷された電気導体であって、架橋基板は２つの端部を有し、それら端部の一方は、着用可能な二層衣類の２つの層間の位置にあり、および他方の端部は、指定された位置にあり、架橋基板の他方の端部は、架橋基板が衣類の外側と重なり合い、および架橋基板の端部上に電気導体を備える架橋基板の端部が指定された位置に配置されるように、二層衣類の外側の指定された位置へのアクセスを提供する、二層衣類の外層の開口部またはシームに通されている、電気導体
を含む。
【００１８】
上述の実施形態のいずれかでは、架橋基板は着用可能な衣類にラミネートされてよい。
【００１９】
さらに別のそのような実施形態では、電気的連結体は、着用可能な多層衣類の１つ以上の層によって分離された２つの位置間にあり、電気的連結体は、
架橋基板の長さに沿って印刷された電気導体であって、架橋基板は２つの端部を有し、それら端部の一方は第１の位置にあり、および他方の端部は第２の位置にあり、架橋基板の他方の端部は、第２の位置へのアクセスを提供する２つの位置を分離する１つ以上の層の開口部に通されており、および架橋基板のその端部は第２の位置に配置されている、電気導体
を含む。
【００２０】
本発明はまた、物品上の第１の位置から物品上の第２の位置までの電気的連結体を提供し、電気的連結体は、
架橋基板の長さに沿って印刷された電気導体であって、架橋基板は２つの端部を有し、それら端部の一方は第１の位置にあり、および他方は第２の位置にある、電気導体
を含む。
【００２１】
上述の実施形態のいずれかでは、電気的連結体は、架橋基板の長さに沿って印刷された１つ以上の追加的な電気導体をさらに含んでよい。
【００２２】
上述の実施形態のいずれかでは、印刷された電気導体を備える架橋基板は、２つ以上の別個の基板要素からなってもよく、それぞれがその長さに沿って印刷された電気導体を備え、隣接する基板要素の印刷導体は接触して配置され、および隣接する基板要素は、接触の領域において一緒にラミネートされて、１つ以上の基板要素上における印刷された電気導体の電気的な接続を達成する。
【図面の簡単な説明】
【００２３】
【図１】衣類の内側の第１の位置から衣類の外側のポケット内における第２の位置までの電気的連結体を示し、その長さに沿って印刷された電気導体を備える架橋基板は、第１の位置に一方の端部および第２の位置に他方の端部を有し、および架橋基板は、衣類の開口部を通って衣類の外側のポケット内における第２の位置まで通過している。
【図２】衣類の内側の第１の位置から衣類の外側のフラップ内における第２の位置までの電気的連結体を示し、その長さに沿って印刷された電気導体を備える架橋基板は、第１の位置に一方の端部および第２の位置に他方の端部を有し、および架橋基板は、衣類の開口部を通って衣類の外側のフラップ内における第２の位置まで通過している。
【図３】衣類の内側の第１の位置から衣類の外側の折り畳みフラップ内における第２の位置までの電気的連結体を示し、その長さに沿って印刷された電気導体を備える架橋基板は、第１の位置に一方の端部および第２の位置に他方の端部を有し、および架橋基板は、衣類の開口部を通って衣類の外側の折り畳みフラップ内における第２の位置まで通過している。
【発明を実施するための形態】
【００２４】
本発明は、衣類または物品の一部分から別の部分へ電気信号または電力を伝達できるようにする、着用可能な衣類または他の物品内の電気的連結体に関する。
【００２５】
本発明は、着用可能な衣類上の第１の位置から着用可能な衣類上の第２の位置までの電気的連結体を提供し、電気的連結体は、架橋基板の長さに沿って印刷された電気導体を含み、架橋基板は２つの端部を有し、それら端部の一方は第１の位置にあり、および他方は第２の位置にある。実施形態では、第１の位置は衣類の内側にあり、および第２の位置は衣類の外側にあり、かつ架橋基板は、衣類の外側にアクセスするために、衣類の開口部に通されているか、または衣類のシームに通されているか、または衣類の縁の周囲で折り畳まれている。いくつかの実施形態では、第２の位置は、衣類のポケット内または衣類のフラップもしくは折り畳みフラップ内にある。実施形態では、架橋基板はラミネートされてよい。これらの実施形態では、衣類は単層または多層の衣類であってよい。
【００２６】
いくつかの実施形態では、電気的連結体は、着用可能な衣類の内側の電気導体から衣類の外側の指定された位置までであり、電気的連結体は、ラミネートすることができる架橋基板の長さに沿って印刷された電気導体を含み、着用可能な衣類の内側の電気導体は、ラミネートすることができる基板に印刷された電気導体であり、架橋基板の一方の端部は、架橋基板のその端部における印刷導体が衣類の内側の電気導体と接触するように配置されており、および衣類の内側の２つの基板は、２つの電気導体が電気的な接続を形成するように接触の領域においてラミネートされており、架橋基板の他方の端部は指定された位置に配置されている。これらの実施形態では、衣類の外側にアクセスするために、架橋基板は、衣類の開口部に通されているか、または衣類のシームに通されているか、あるいは袖もしくは襟の端部または衣類の最下部の周囲で折り畳まれている。いくつかの実施形態では、第２の位置は、衣類のポケット内または衣類のフラップもしくは折り畳みフラップ内にある。これらの実施形態では、衣類は単層または多層の衣類であってよい。
【００２７】
本明細書では、「架橋基板」は、その長さに沿って電気導体が印刷されている基板を指し、基板は、位置１と位置２との間または衣類の内側の電気導体と衣類の外側の指定された位置との間の間隙を架橋する。
【００２８】
本明細書では、「フラップ」は、衣類の外側に取り付けられる、突出しているかまたは垂れ下がっている部片を指す。フラップは折り畳まれて「折り畳みフラップ」を形成してもよく、これは、指定された位置およびそこへの任意の取付部品のための囲いをもたらす。
【００２９】
本明細書では、「着用可能な衣類」または「着用可能品」は、人に着用される任意の物品を指し、シャツ、セーター、コートまたはジャケット、スラックスの対、ソックス、および履物を含む。
【００３０】
本明細書では、「ラミネーション」は、２つの層を一緒に結合することを指す。これは、複数の層を加熱して圧縮する典型的なプロセスによってだけでなく、接着剤またはのり付けを使用するなどの他の手段によっても実現することができる。
【００３１】
上述の実施形態のいくつかについて図面を参照して説明する。
【００３２】
図１は、衣類の内側の第１の位置から衣類の外側のポケット内における第２の位置までの電気的連結体を示し、その長さに沿って印刷された電気導体を備える架橋基板は、第１の位置に一方の端部および第２の位置に他方の端部を有し、および架橋基板は、衣類の開口部を通って衣類の外側のポケット内における第２の位置まで通過している。衣類１は、ポケット２と、衣類の開口部３とを有する。衣類の内側には第１の位置４があり、および衣類の外側のポケット２内には第２の位置５がある。その長さに沿って電気導体７が印刷されている架橋基板６は、第１の位置４で始まり、開口部３を通り、および衣類の外側のポケット２内における第２の位置５で終端していることが示されている。図１はまた、着用可能な衣類の内側の第１の位置４から、衣類の外側のポケット２内における指定された位置５までの電気的な接続を示す。
【００３３】
図２は、衣類の内側の第１の位置から衣類の外側のフラップ内における第２の位置までの電気的連結体を示し、その長さに沿って印刷された電気導体を備える架橋基板は、第１の位置に一方の端部および第２の位置に他方の端部を有し、および架橋基板は、衣類の開口部を通って衣類の外側のフラップ内における第２の位置まで通過している。衣類１は、フラップ２と、衣類の開口部３とを有する。衣類の内側には第１の位置４があり、および衣類の外側のフラップ２内には第２の位置５がある。その長さに沿って電気導体７が印刷されている架橋基板６は、第１の位置４で始まり、開口部３を通り、および衣類の外側のフラップ２内における第２の位置５で終端することが示されている。図２はまた、着用可能な衣類の内側の第１の位置４から、衣類の外側のフラップ２内における指定された位置５までの電気的な接続を示す。
【００３４】
図３は、衣類の内側の第１の位置から衣類の外側の折り畳みフラップ内における第２の位置までの電気的連結体を示し、その長さに沿って印刷された電気導体を備える架橋基板は、第１の位置に一方の端部および第２の位置に他方の端部を有し、および架橋基板は、衣類の開口部を通って衣類の外側の折り畳みフラップ内における第２の位置まで通過している。衣類１は、折り畳みフラップ２と、衣類の開口部３とを有する。衣類の内側には第１の位置４があり、および衣類の外側の折り畳みフラップ２内には第２の位置５がある。その長さに沿って電気導体７が印刷されている架橋基板６は、第１の位置４で始まり、開口部３を通り、および衣類の外側の折り畳みフラップ２内における第２の位置５で終端することが示されている。図３はまた、着用可能な衣類の内側の第１の位置４から、衣類の外側の折り畳みフラップ２内における指定された位置５までの電気的な接続を示す。
【００３５】
架橋基板６がシームを通っている実施形態は、図１、図２および図３に示す実施形態と同様であり、シームが開口部に取って代わった状態である。
【００３６】
図１に示すように、架橋基板６は、衣類の内側および外側の両方で衣類１に隣接しており、かつ電気導体７は露出しており、衣類の内側の第１の位置４および衣類の外側の指定された位置５における接続を好都合にする。架橋基板を逆向きにして、電気導体７が衣類の内側および外側の両方で衣類１に隣接するようにし、それにより、電気導体７を摩耗から保護することもできる。印刷された電気導体を備える架橋基板が、２つの別個の基板要素であって、それぞれ電気導体がその長さに沿って印刷されている、２つの別個の基板要素からなる実施形態では、２つの基板は、架橋基板６が衣類の一方の側面で衣類１に隣接し、および電気導体７が他方の側面で衣類に隣接するように配置することができる。２つの別個の基板要素の同様の逆向き構成または組み合わせ構成が、図２および図３に示すような実施形態を含む全ての実施形態に適用可能である。
【００３７】
本発明はまた、多層衣類の一部分から別の部分への電気信号の伝達を提供する。一実施形態では、電気的連結体は、着用可能な二層衣類の内層の内側の位置から二層衣類の２つの層間の指定された位置までであり、電気的連結体は、架橋基板の長さに沿って印刷された電気導体を含み、架橋基板は２つの端部を有し、それら端部の一方は衣類の内層の内側の位置にあり、および他方の端部は２つの層間の指定された位置にあり、架橋基板の他方の端部は、架橋基板が２つの層間に存在し、およびその上に電気導体を備える架橋基板の端部が指定された位置に配置されるように、二層衣類の２つの層間の指定された位置へのアクセスを提供する、二層衣類の内層の開口部またはシームに通されている。
【００３８】
別の実施形態では、電気的連結体は、着用可能な二層衣類の２つの層間の位置から二層衣類の外側の指定された位置までであり、電気的連結体は、架橋基板の長さに沿って印刷された電気導体を含み、架橋基板は２つの端部を有し、それら端部の一方は、着用可能な二層衣類の２つの層間の位置にあり、および他方の端部は、二層衣類の外側の指定された位置にあり、架橋基板の他方の端部は、架橋基板が衣類の外側と重なり合い、およびその上に電気導体を備える架橋基板の端部が指定された位置に配置されるように、二層衣類の外側の指定された位置へのアクセスを提供する、二層衣類の外層の開口部またはシームに通されている。
【００３９】
本発明はまた、着用可能な多層衣類の１つ以上の層によって分離された２つの位置間の電気的連結体を提供し、電気的連結体は、架橋基板の長さに沿って印刷された電気導体を含み、架橋基板は２つの端部を有し、それら端部の一方は第１の位置にあり、および他方の端部は第２の位置にあり、架橋基板の他方の端部は、第２の位置へのアクセスを提供する、２つの位置を分離する１つ以上の層の開口部に通されており、および架橋基板のその端部は第２の位置に配置されている。
【００４０】
上述の実施形態のいずれかでは、架橋基板は、着用可能な衣類、すなわち衣類自体または指定された位置の場所に応じて、ポケット、フラップまたは折り畳みフラップにラミネートされてよい。本明細書では、「着用可能な衣類にラミネートされる」はこれらの可能性を全て含む。
【００４１】
上述の実施形態のいずれかでは、架橋基板は、熱可塑性ウレタンを含んでよい。熱可塑性ウレタンを架橋基板として使用したとき、ラミネーションは、膨張可能な袋上で１３０℃の温度および６０ｐｓｉの圧力のホットプレスを使用して、かつプレス時間１５秒で行われている。
【００４２】
上述の実施形態のいずれかでは、架橋基板の長さに沿って印刷された電気導体は、ポリマー厚膜導体組成物から形成してよい。
【００４３】
上述の実施形態のいずれかでは、架橋基板の長さに沿って印刷された電気導体は、ポリマー厚膜銀組成物から形成してよい。
【００４４】
上述の実施形態のいずれかでは、電気的連結体は、架橋基板の長さに沿って印刷された１つ以上の追加的な電気導体をさらに含んでよい。
【００４５】
上述の実施形態のいずれかでは、印刷された電気導体を備える架橋基板は、２つ以上の別個の基板要素であって、それぞれ電気導体がその長さに沿って印刷されている、２つ以上の別個の基板要素からなってもよく、隣接する基板要素の印刷導体は接触して配置されており、および隣接する基板要素は、接触の領域において一緒にラミネートされて、１つ以上の基板要素上における印刷された電気導体の電気的な接続を達成する。
【００４６】
本発明はまた、物品上の第１の位置から物品上の第２の位置までの電気的連結体を提供し、電気的連結体は、架橋基板の長さに沿って印刷された電気導体を含み、架橋基板は２つの端部を有し、それら端部の一方は第１の位置にあり、および他方は第２の位置にある。
【符号の説明】
【００４７】
１  衣類
２  ポケット
３  開口部
４  第１の位置
５  第２の位置
６  架橋基板
７  電気導体
【図１】
2018089377.tif 000003
【図２】
2018089377.tif 000004
【図３】
2018089377.tif 000005
【外国語明細書】
2018089377000001.pdf